(57)【要約】【課題】  金融機関等で使用され、特に無人店舗やＡＴＭコーナーに設置される無人契約機において、印刷等の処理中に用紙が装置の外に出ないようにして、かつ装置の小型化および低価格化を可能とする。【解決手段】  用紙の搬送を停止或いは減速可能な搬送ローラの上流側の搬送路に、用紙を逃がす開口部１９を設け、当該開口部１９から用紙を弛ませておくことができるようにした。或いは、用紙の搬送を停止或いは減速可能な搬送ローラの上流側の搬送路に、用紙を逃がす回動可能な開閉ガイド３２を設け、用紙を弛ませることができるようにした。【選択図】      図２
2007015794.tif 000002
【特許請求の範囲】
【請求項１】
契約に係る所定の処理を媒体に施し当該媒体を利用者に返却する無人契約装置において、
前記媒体の搬送を停止または減速可能な搬送ローラの上流側の搬送路上に、前記媒体を逃がす開口部を設けたことを特徴とする無人契約機。
【請求項２】
契約に係る所定の処理を媒体に施し当該媒体を利用者に返却する無人契約装置において、
前記媒体の搬送を停止または減速可能な搬送ローラの上流側の搬送路上に、前記媒体を逃がす回動または移動可能な開閉ガイドを設けたことを特徴とする無人契約機。
【発明の詳細な説明】
【技術分野】
【０００１】
この発明は、金融機関等で使用され、特に無人店舗やＡＴＭコーナーなどに設置される無人契約機に関するものである。
【背景技術】
【０００２】
一般に、無人にて契約を行う無人契約機では、利用者が、申込書および申込者の本人確認のための身分証明書などをスキャナの上に置いたり挿入排出口から挿入したりすると、これらの書類のイメージを光学的に読み取り、金融機関等のセンタに送信しセンタにて申込書の記載内容や身分証明書の内容を参照して、記載の間違いや記載漏れがないことの確認や本人確認を行い、問題がなければ、申込書をスタッカに保管し、申込書の控えや契約書を印刷して利用者に返却するようにしている（例えば、特許文献１参照。）。
【特許文献１】特開２００１−３４６７４号公報
【発明の開示】
【発明が解決しようとする課題】
【０００３】
しかしながら、従来の無人契約機では、操作を監視或いは支援する者が近傍にいないこともあり、契約書や申込書写しの印刷などの処理を行う際、挿入排出口より用紙の先端が外に出ると、利用者等が用紙を押さえたり、引っ張ったりして、印刷等の処理が正常に行われないことがあった。
【０００４】
そして、これを防止するためには、印刷部と挿入排出口間の距離を用紙の長さより長くする必要があり、Ａ４サイズなどの長い用紙を用いる場合では、装置が非常に大型となり、省スペースの装置とすることが困難であった。
【課題を解決するための手段】
【０００５】
本発明は、前述の課題を解決するため次の構成を採用する。すなわち、契約に係る所定の処理を紙葉状の媒体に施し当該媒体を利用者に返却する無人契約装置において、前記媒体の搬送を停止或いは減速可能な搬送ローラの上流側の搬送路に、前記媒体を逃がす開口部または回動可能な開閉ガイドを設けた。
【発明の効果】
【０００６】
本発明の無人契約機によれば、紙葉状の媒体の搬送を停止或いは減速可能な搬送ローラの上流側の搬送路に、前記媒体を逃がす開口部または回動可能な開閉ガイドを設けたので、長い媒体を用いる場合であっても、媒体端部が装置の外にでないようにするために装置を大型にする必要がなく省スペース化ができる。
【発明を実施するための最良の形態】
【０００７】
以下、本発明に係る実施の形態例を、図面を用いて説明する。図面に共通する要素には同一の符号を付す。なお、便宜上、以下の説明において、用紙排出の際の搬送上流方向の側を「上流側」、搬送下流方向の側を「下流側」という。また、以下の説明では、印刷する媒体を用紙として説明するが、これには限らない。例えば、冊子状の媒体などであってもよいし、柔軟な媒体であればよい。
【実施例１】
【０００８】
実施例１の無人契約機は、用紙の搬送を停止或いは減速可能な搬送ローラの上流側の搬送路に、用紙を逃がす開口部を設けたものである。
【０００９】
（全体の構成）
図１は、実施例１の無人契約機の構成図である。実施例１の無人契約機の筐体１内部には、下部に備えた電源２、後述の各部を制御するための制御ユニット３、その上部に、身分証明書や申込書のイメージを読み取るスキャナおよび申込書写しや契約書等を印刷する機能を有するスキャナ付プリンタ５、さらに上部に、申込み手続き終了後にカードを発行するカード発行ユニット４が設けられている。
【００１０】
利用者操作面には、操作表示部として、例えばＬＣＤ上にタッチパネルを設けたタッチパネル付ディスプレイ６、利用者への音声ガイダンスを行うスピーカ７、保守係員へ電話をするためのハンドセット８、カード発行ユニット４により発行されるカードを排出するカード排出口９、申込書等の挿入或いはスキャナ付プリンタ５から契約書等を排出する挿入排出口１３が設けられている。
【００１１】
（スキャナ付プリンタの構成）
次に、実施例１のスキャナ付プリンタ５の構成を図２の構成図を用いて説明する。実施例１のスキャナ付プリンタ５は、下部破線部のように申込み手続き終了後の申込書控えや契約書を印刷する各種用紙を格納してある用紙装填部１１と、申込書や利用者が受領しなかった用紙を取り込んで保管するためのスタッカ１５と、用紙を搬送する搬送路１０と、上部破線部の印刷ヘッドやプラテンからなり用紙を印刷する印刷部１２と、申込書等のイメージを読み込むスキャナ部１４と、申込書等の挿入および印刷した用紙を排出する挿入排出口１３とを備えている。
【００１２】
そして、印刷部１２とスキャナ部１４の間（破線Ｘ１部）に配置される搬送ローラＡ（１６）と搬送ローラＢ（１７）の間の上部用紙ガイド１８には、用紙が搬送路から逃げられる大きさの開口部１９が設けられており、この開口部１９の周囲に、ラッパ状になった用紙ガイド端部１８ａを設け、用紙がスムーズに空間２０にガイドされるようになっている。
【００１３】
また、用紙端部を検出するためのセンサとして、センサＡ（２３）が印刷部１２の搬送ローラＡ（１６）近傍に配置され、センサＢ（２４）が挿入排出口１３の手前に配置されている。
【００１４】
そして、上流側の用紙装填部１１側から搬送ローラＡ（１６）までに設けられた第１の搬送ローラ群と、下流側の挿入排出口１３から搬送ローラＢ（１７）までに設けられた第２の搬送ローラ群は、それぞれ独立に駆動できるようになっている。なお、各搬送ローラの動力はそれぞれモータを設けるようにしてもよいし、１つのモータを駆動源としてクラッチ機構等により各搬送ローラの回転を制御するようにしてもよい。
【００１５】
以下の説明では、便宜上、前記上流側の第１の搬送ローラ群の駆動モータをモータＡ、前記下流側の第２の搬送ローラ群の駆動モータをモータＢとして説明する。なお、図が煩雑となるので、前記モータＡおよびモータＢは、図示していない。
【００１６】
（動作）
以上の構成により、実施例１の無人契約機は、以下のように動作する。まず、契約全体の動作を説明する。
【００１７】
（無人契約の動作）
まず、利用者は、契約を開始するために、申込書に契約に必要な事項を記載し、タッチパネル付ディスプレイ６により所定の事項の入力を行う。そして、タッチパネル付ディスプレイ６の表示ガイダンスやスピーカ７からの音声ガイダンスに従い、前記記載した申込書および身分証明書を挿入排出口１３に、順次、挿入する。
【００１８】
無人契約機は、挿入された申込書等がセンサＢ（２４）にて検出されると、これを取り込み、スキャナ部１４にてイメージを読み込み、図示しないセンタに送信し、センタにて申込書の記載内容や身分証明書の内容を確認し、問題がなければ、身分証明書を排出し、申込書をスタッカ１５に搬送し格納する。
【００１９】
申込書の記載に不備があったときは、身分証明書を排出するとともに、挿入排出口１３から申込書を排出し、利用者に訂正を促す。
【００２０】
申込書の記載等に不備がなく、契約が成立したときは、用紙装填部１１から該当する用紙を繰り出し、印刷部１２により契約書や申込書控えを印刷し挿入排出口１２より排出する。なお、申込書控えは、利用者が挿入した申込書につき取得したイメージデータを印刷したものである。
【００２１】
（用紙排出の動作）
次に、印刷部１２にて印刷した用紙を排出する動作を、図２のＸ１部拡大図である図３の動作説明図、および図４の動作フローチャートを用いて詳細に説明する。
【００２２】
まず、前述の第１の搬送ローラ群の駆動モータであるモータＡを駆動し（ステップＳ１）、用紙装填部１１から印刷する用紙１枚を繰り出し（ステップＳ２）、印刷部１２まで搬送して印刷を行う（ステップＳ３）。
【００２３】
そして、センサＡ（２３）が用紙先端を検出すると（ステップＳ４）、前記第２の搬送ローラ群の駆動モータであるモータＢを排出方向に駆動させる（ステップＳ５）。なお、モータＢはモータＡと同時に起動するようにしても勿論よい。
【００２４】
そして、センサＢ（２４）が用紙先端を検出すると（ステップＳ６）、モータＢのみを停止し、下流側の第２の搬送ローラ群を一旦停止する（ステップＳ７）。搬送ローラ１７のみ停止するようにしても勿論よい。
【００２５】
すると、搬送ローラＡ（１６）は継続して用紙を搬送しているので、用紙が弛み、弛んだ部分３０が空間２０に逃げるようになり、図３に示したように開口部１９より上側に膨らみ始める。
【００２６】
そして、用紙後端がセンサＡ（２３）を通過し用紙後端が検出されると（ステップＳ８）、次に、用紙後端が搬送ローラＡ（１６）を完全に通過する距離を見込んで搬送した後、モータＡを停止させ（ステップＳ９）、印刷処理を終了させる（ステップＳ１０）。
【００２７】
そして、再びモータＢを起動し第２の搬送ローラ群を駆動し用紙を挿入排出口１３方向に搬送し（ステップＳ１１）、略用紙長さ分搬送して停止する（ステップＳ１２）。そして、利用者が取り忘れた場合などで、排出した用紙を利用者が所定の時間取らず、センサＢ（２４）が用紙の後端を検出しているときは、排出した用紙を再び取り込みスタッカ１５まで搬送し保管する。
【００２８】
以上のように、印刷の際に、搬送ローラＢ（１７）を停止させているので用紙先端は挿入排出口１３から出ることがない。
【００２９】
以上の実施例の説明では、開口部１９より用紙を逃がすときに加える外力については特に説明しなかったが、例えば、下側からエアーを送風するようにしてもよいし、羽根車などで上側にはねるようにしてもよい。
【００３０】
（実施例１の効果）
以上詳細に述べたように、実施例１の無人契約機によれば、用紙の搬送を停止或いは減速可能な搬送ローラの上流側の搬送路上に、用紙を逃がす開口部を設けたので、長い用紙を用いる場合であっても、用紙端部が装置の外にでないようにするために装置を大型にする必要がなく、また、搬送路も短くできるので低コストとすることができる。
【実施例２】
【００３１】
実施例２の無人契約機は、用紙の搬送を停止或いは減速可能な搬送ローラの上流側の搬送路に、用紙を逃がす回動可能な開閉ガイドを設けたものである。
【００３２】
（構成）
実施例２の無人契約機の構成およびスキャナ付プリンタ以外の構成は、実施例１の構成と同様であるので、簡略化のためにその説明を省略する。
【００３３】
次に、実施例２のスキャナ付プリンタ５の構成を図５の構成図を用いて説明する。なお、実施例２のスキャナ付プリンタ５は、ソレノイド３１、開閉ガイド３２以外は実施例１と同様の構成であるので、簡略化のためにその詳細な説明は省略する。
【００３４】
印刷部１２とスキャナ部１４の間（図５破線Ｘ２部）に配置される搬送ローラＡ（１６）と搬送ローラＢ（１７）の間の下側の搬送路上に、用紙が逃げられる大きさの切り欠き部を設け、当該切り欠き部にソレノイド３１により図中矢印Ａ方向に或いはその逆方向（後述図６に示したＢ方向）に回動可能な開閉ガイド３２を設けた構成となっている。なお、図５は開閉ガイド３２が閉じた状態を示し、後述する図６は開閉ガイド３２が開いた状態を示している。
【００３５】
（動作）
以上の構成により、実施例２の無人契約機は、以下のように動作する。契約取引に関する無人契約機の動作については、実施例１と同様であるので、簡略化のためにその詳細な説明は省略する。
【００３６】
（用紙排出の動作）
実施例２のスキャナ付プリンタにおいて印刷部１２にて印刷した用紙を排出する動作を図６の動作説明図および図７の動作フローチャートを用いて詳細に説明する。
【００３７】
まず、前述の第１の搬送ローラ群の駆動モータであるモータＡを駆動し（ステップＳ２１）、用紙装填部１１から印刷する用紙１枚を繰り出し（ステップＳ２２）、印刷部１２まで搬送して印刷を行う（ステップＳ２３）。
【００３８】
そして、センサＡ（２３）が用紙先端を検出すると（ステップＳ２４）、前記第２の搬送ローラ群の駆動モータであるモータＢを排出方向に駆動させる（ステップＳ２５）。
【００３９】
そして、センサＢ（２４）が用紙先端を検出すると（ステップＳ２６）、モータＢのみを停止し挿入排出口１３側の第２の搬送ローラ群を一旦停止する（ステップＳ２７）。そしてソレノイド３１を動作させ開閉ガイド３２を図５矢印Ａ方向に移動させる。
【００４０】
すると、搬送ローラＡ（１６）は継続して用紙を搬送しているので、用紙が弛み、弛んだ部分３０が前記切り欠き部から空間２０に逃げるようになり、図６に示したように空間２０に膨らみ始める。
【００４１】
そして、用紙後端がセンサＡ（２３）を通過し用紙後端が検出されると（ステップＳ２９）、用紙後端が搬送ローラＡ（１６）を完全に通過する距離を見込んで搬送した後、モータＡを停止させ（ステップＳ３０）、印刷処理を終了させる（ステップＳ３１）。
【００４２】
そして、再びモータＢを起動して第２の搬送ローラ群を駆動し用紙を挿入排出口１３方向に搬送し、略用紙長さ分搬送した後（ステップＳ３２）、ソレノイド３３を停止し図中矢印Ｂ方向に開閉ガイド３２を移動させ（ステップＳ３３）、排出を終了する。なお、利用者が取り忘れた場合などで、排出した用紙を利用者が所定の時間取らず、センサＢ（２４）が後端を検出している場合は、排出した用紙を再び取り込み、スタッカ１５まで搬送し回収する動作は実施例１と同様である。
【００４３】
以上のように、実施例１と同様、印刷の際に、搬送ローラＢ（１７）を停止させているので用紙先端は挿入排出口１３から出ることがない。
【００４４】
以上の実施例の説明では、開閉ガイド３２を搬送路下側に設ける例を説明したが、搬送路上側に設けるようにしても勿論よい。この場合、下側からエアー等を送風したり羽根車で上側にはねるようにしたりして、用紙が空間にスムーズに逃げるようにするようにするとよい。
【００４５】
以上の実施例の説明では、開閉ガイド３２に設けた支点によりソレノイド３３にて回動させるように説明したが、回転させるのではなく搬送路と略平行にスライドさせるようにしてもよい。
【００４６】
（実施例２の効果）
以上詳細に述べたように、実施例２の無人契約機によれば、用紙の搬送を停止或いは減速可能な搬送ローラの上流側の搬送路下側に、用紙を逃がす回動可能な開閉ガイドを設けたので、実施例１の効果に加え、重力により用紙をスムーズに逃がすことができるとともに、開閉ガイドを回動しないときは、搬送路上に切り欠き部がないので、当該切り欠き部によるジャム等の発生を防止することができ、ごみ等の侵入も防止することができる。
【００４７】
《その他の変形例》
以上の実施例の説明では、下流側の搬送ローラＢ（１７）を停止して、用紙を開口部１９等から逃がすように説明したが、停止するのではなく、上流側の搬送ローラＡ（１６）の搬送速度より遅くするようにしてもよい。この場合、用紙を弛ませながら、かつ下流側の搬送ローラＢ（１７）にてゆっくり用紙を排出することができるので、実施例１、実施例２と比較して、用紙の排出時間を短くすることができる。
【産業上の利用可能性】
【００４８】
以上述べたように、本発明は、金融機関等で使用され、特に無人店舗やＡＴＭコーナーに設置され、安価で省スペースが要求される無人契約機などに広く用いることができる。
【図面の簡単な説明】
【００４９】
【図１】実施例１の無人契約機の構成図である。
【図２】実施例１の無人契約機のスキャナ付プリンタの構成図である。
【図３】実施例１の無人契約機の動作説明図である。
【図４】実施例１の無人契約機の動作フローチャート図である。
【図５】実施例２の無人契約機のスキャナ付プリンタの構成図である。
【図６】実施例２の無人契約機の動作説明図である。
【図７】実施例２の無人契約機の動作フローチャート図である。
【符号の説明】
【００５０】
５    スキャナ付プリンタ
１０  搬送路
１２  印刷部
１３  挿入排出口
１４  スキャナ部
１６  搬送ローラＡ
１７  搬送ローラＢ
１９  開口部
２０  空間
２３、２４  センサ
３１  ソレノイド
３２  開閉ガイド
【図１】
2007015794.tif 000003
【図２】
2007015794.tif 000004
【図３】
2007015794.tif 000005
【図４】
2007015794.tif 000006
【図５】
2007015794.tif 000007
【図６】
2007015794.tif 000008
【図７】
2007015794.tif 000009